(57)【特許請求の範囲】
【請求項１】
噴霧器本体と、タンクと、トリガ−ハンドルと、そのトリガ−ハンドルの操作に連動して弁を開閉させることにより前記タンクから第１通液管を介して液を吸入しバネ材に抗してその液を一時的に蓄える蓄圧室と、その蓄圧室内の液が所定以上に達したとき前記バネ材の反発力と圧縮空気圧とにより蓄圧室内の液を第２通液管を介してノズルへ送る噴霧器において、
第２通液管の途中に前記タンクに液を戻す第３通液管をバルブ体を介して設け、該バルブ体にはノズルへ液を送付するときは第３通液管への送付を遮断し、第３通液管へ液を送付するときはノズルへの液の送付を遮断する制御機能を設けたことを特徴とする噴霧器。
【請求項２】
前記バルブ体の制御機能は、バルブ体にシ−ソ−ボタンを設け、該シ−ソ−ボタンは常にバブル体のノズルへ液を送付する部分または第３通液管へ液を送付する部分のどちらか一方を押圧変形させて液の流れを完全に防止するようにした請求項１記載の噴霧器。
【発明の詳細な説明】
【０００１】
【発明の属する技術分野】
本発明はトリガ−ハンドルの操作により水、洗剤、消毒液、殺虫剤、塗料等の各種液体を、連続噴霧できる小型、軽量な噴霧器に係り、詳しくは連続噴霧を止めたとき瞬時に停止し、ノズルから液が垂れることがない噴霧器に関するものである。
【０００２】
【従来の技術】
従来のこの主の小型噴霧器としては、例えば主として殺虫剤を噴霧するエアゾ−ル型のもの（特開平１−１７６４６７号、特開平１−２１００５７号）、薬液を噴霧するもの（実公昭５５−４０６３号）、塗料等の噴霧させるもの（実公昭５４−１１２８２号）などが知られている。
これらはいずれも作動レバ−を操作したときだけ液が噴霧されるものであり、該作動レバーが元に戻ると液噴霧は止まり、液噴霧が間欠的にしか行なわれない。
【０００３】
そこで、小型で連続噴霧できる噴霧器として、図８や図９のものが知られている。
図８は主として農業用に使用されるもので、シリンダＳ内をピストンＰが往復し、空気をタンクＴの空間Ｋ内で畜圧させ、この圧力で液を噴霧するものである。また噴霧を止めたいときはコックＣを閉めることにより行うが、空間Ｋ内はまだ圧力があるので液だれが生じても農地で使用するものであるからあまり問題にはならない。
また図９のものは予めシリンダＳ内にピストンＰを往復させ空間Ｋを畜圧しノズルＮを押すと噴霧する構造である。また指をノズルＮから外せば噴霧は瞬間に停止して液だけは生じないが、空気がすぐなくなるので作動時間が短い欠点がある。
【０００４】
更に、トリガ−ハンドルを操作して、タンクからノズルまでの通液管の途中に液をバネ材に抗して一時的に蓄え、その液が所定以上に達したとき空気圧とバネ材の反発力で液をノズルへ送る蓄圧室を備えた噴霧器が知られている。
この蓄圧室型の噴霧器は、連続噴霧が可能で、且つガスを使用していないので安価であるが、トリガ−ハンドルの操作を止めたとき蓄圧室内に残った液がノズルへ送られ、しかも圧力が低下しているのでノズルから液がたれるので、室内では使用できなかった。
【０００５】
【発明が解決しようとする課題】
そこで本出願人は先に噴霧器本体と、タンクと、噴霧器本体に取付けたトリガ−ハンドルと、そのトリガ−ハンドルの操作により開閉する弁で前記タンクから吸入して液を一時的に溜める液溜部と、該液溜部から給送されて液を噴霧するノズルとからなる噴霧器において、前記液溜部とタンクとの間に液戻し管を設け、その液戻し管に液溜部の内圧を瞬時にゼロにする圧力逃がし機構を設けたことを特徴とする噴霧器の液垂れ防止装置を提案した（特開平５−１０４０４１号）。
ところが、この機構では製造が大変で高価になるおそれがあった。
【０００６】
そこで更に本出願人は、トリガ−ハンドルの操作を止めたとき、前記通液管にノズルへ送る液の流れを完全に塞ぐ遮断機構と、前記畜圧室内の圧力を瞬時に減圧する減圧機構とが同時に作用するようにした噴霧器を発明した（特願平８−３１３１５号）。
この発明により安価に製造できて、ハンドルの操作を止めて連続噴霧を中止した瞬間にノズルから液が垂れることがない噴霧器を提供できた。
本発明は更に上記の特許を改良し、より構造を簡単にして部品数を少なくし、安価にした液だれのない小型の連続噴霧器を得ることを目的とする。
【０００７】
【課題を解決するための手段】
本発明に係る噴霧器は、噴霧器本体と、タンクと、トリガ−ハンドルと、そのトリガ−ハンドルの操作に連動して弁を開閉させることにより前記タンクから第１通液管を介して液を吸入しバネ材に抗してその液を一時的に蓄える蓄圧室と、その蓄圧室内の液が所定以上に達したとき前記バネ材の反発力と圧縮空気圧とにより蓄圧室内の液を第２通液管を介してノズルへ送る噴霧器において、
第２通液管の途中に前記タンクに液を戻す第３通液管をバルブ体を介して設け、該バルブ体にはノズルへ液を送付するときは第３通液管への送付を遮断し、第３通液管へ液を送付するときはノズルへの液の送付を遮断する制御機能を設けたものである。
【０００８】
またこのバルブ体の制御機能は、例えばバルブ体にシ−ソ−ボタンを設け、該シ−ソ−ボタンは常にバブル体のノズルへ液を送付する部分または第３通液管へ液を送付する部分のどちらか一方を押しつぶして変形させることにより液の流れを完全に防止するようにしたものである。
【０００９】
【発明の実施の形態】
以下、本発明の一実施例を図面に基づいて説明する。
図１は本発明の噴霧器１の正面図で、この図において、符号２は噴霧器本体であり、水、洗剤等の各種液体３を蓄えたタンク４の上に載置されている。
この噴霧器本体２にはトリガ−ハンドル５が回動軸６によって回動自在に取付けられていて、該トリガ−ハンドル５の操作により連動して吸い込み弁７・吐き出し弁８が開閉し、第１通液管９を介して前記タンク４から液３を吸引し、該液を一時的に蓄える蓄圧室１０へ送っている（図２参照）。
【００１０】
この蓄圧室１０には蓄圧室を構成する壁面１１が設けられ、その壁面１１は常に蓄圧室１０の容積を減少させる方向に付勢されるバネ材１２により支持されている。
そしてトリガ−ハンドル５の操作を何度も繰り返すことにより蓄圧室１０内に液３が所定量以上溜まると、このバネ材１２と圧縮空気の反発力で蓄圧室１０内の液は蓄圧室１０からノズルまでの第２通液管１３を介して図３に示すようにノズル１４に給送され噴霧されるものである。
【００１１】
また前記トリガ−ハンドル５には、噴霧器本体１のピストン１５の端部が当接し、このピストン１５は常時バネ材１６によってトリガ−ハンドル５を噴霧器本体２から引離す方向に付勢されている。
【００１２】
第２通液管１３の途中には、前記タンク４に液３を戻す第３通液管１７がバルブ体１８を介して設けられている。
このバブル体１８は、液３をノズル１４へ送付するときは第３通液管１７への送付を遮断し、第３通液管１７へ液３を送付するときはノズル１４への液の送付を遮断する制御機能を設けている。
このバルブ体１８の制御機能としては、弁で塞ぐ、プレ−トを移動させて管内を塞ぐ、管自体を窄める等通液管内の液を開閉する構造であればその種類を問わないが、図の場合はバルブ体１８の上部にシ−ソ−ボタン１９を設け、該シ−ソ−ボタン１９の一対の突起部１９ａ・１９ｂが常にバブル体１８のノズル１４へ液３を送付する部分１８ａまたは第３通液管１７へ液３を送付する部分１８ｂのどちらか一方を押圧変形させて液の流れを完全に防止するようにしている。
【００１３】
図４・図５はその説明図で、シ−ソ−ボタン１９はバネ材２０を介して軸２１を支点に揺動し、シ−ソ−ボタン１９の下面に設けた一対の突起部１９ａ・１９ｂが常にバブル体１８のノズル１４へ液３を送付する部分１８ａまたは第３通液管１７へ液３を送付する部分１８ｂのどちらか一方を押圧して変形させ、その変形させた側には液３が流れないように構成されている。
即ち、図４の場合は、突起部１９ｂが第３通液管１７へ液３を送付するバブル体１８の部分１８ｂを押圧して閉とする一方、突起部１９ａがノズル１４へ液３を送付するバブル体１８の部分１８ａを開とするので蓄圧室１０から第２通液管１３を介してノズル１４へ液３が送られる。
【００１４】
また軸２１を支点にシ−ソ−ボタン１９を揺動させて図５のように突起部１９ａがノズル１４へ液３を送付する部分１８ａを押しつぶして閉とすると、突起部１９ｂは第３通液管１７へ液３を送付する部分１８ｂが開となって液３がタンク４に戻るものである。
図６は前記第１通液管９、蓄圧室１０、第２通液管１３、第３通液管１７の位置関係を示す端面図である。
【００１５】
次に上記実施例の動作について説明する。
トリガ−ハンドル５を軸６を支点に回動させると、バネ１６に抗してピストン１５が押込まれる。
次いで、トリガ−ハンドル５の操作力を解除すると、ピストン１５がバネ１６で押出される。このため、噴霧器本体２内の第１通液管９内は負圧となり、吸い込み弁７を開いてタンク４内の液３を吸い出す。
【００１６】
そして、再びトリガ−ハンドル５を回動させてピストン１５を押込むと、液３は吐き出し弁９を開いて蓄圧室１０内へ送られる。
このトリガ−ハンドル５の操作を数回繰返し行い、蓄圧室１０内へ導入される液３が多くなるにつれて、壁面１１がバネ材１２に抗して移動し、ついにはその蓄圧室１０の圧力がノズル１４の弁２２のバネ２３に抗して該弁２２を押し開く以上に達したとき該ノズル１４から液３が噴射される。
以後、トリガ−ハンドル５を連続的に操作することにより、１回のハンドル５の操作で引出される液量３がノズル１４から噴霧される量よりも多くしておけば、トリガ−ハンドル５を元に戻したとき（バネ１６により戻るので短時間で戻る）も蓄圧室１０の空気圧が所定以下（ノズル１４の弁２２が閉じる圧力）になるまでは、ノズル１４からの液噴霧が連続して行われる。
【００１７】
そして、トリガ−ハンドル５の操作を止めるときは、トリガ−ハンドル５の操作を止めると同時に図７のように前記シ−ソ−ボタン１９の突起部１９ａに対応する上面を押すと、該突起部１９ａがノズル１４へ液３を送付する部分１８ａを押しつぶして変形させ、液の流れを完全に塞ぎ、ノズル１４への液３の供給が止まる。
また同時に突起部１９ｂは第３通液管１７へ液３を送付する部分１８ｂから開放されて開となりタンク４と連通されるため蓄圧室１０内が減圧されて内圧が瞬時にゼロになるので、単にノズル１４からの噴霧が停止するだけではなく、液垂れが防止できる。
そして、第２通液管１３内に残った液３は第３通液管１７へ介してタンク４を戻るので無駄がない。
【００１８】
【発明の効果】
以上のように、畜圧室を備えた噴霧器において、トリガ−ハンドルの操作を止めて連続噴霧を停止させたとき、液をノズルへ送る部分、またはタンクへ戻す部分のどちらか一方を常に開閉させる制御機能を有するバルブ体を設けたので、そのバブル体を操作するだけで、連続噴霧だけではなく、噴霧を止めたときも単に液のノズルへの供給を停止させるだけではなく、蓄圧室とタンクに連通させることにより蓄圧室の内圧を瞬時にゼロにさせることにより、蓄圧室内に残った液がノズルへ送られノズルから液がたれることを防止できる。
またこのバブル体の制御機能をバルブ体にシ−ソ−ボタンを設け、該シ−ソ−ボタンを常にバブル体のノズルへ液を送付する部分または第３通液管へ液を送付する部分のどちらか一方を押圧変形させて液の流れを完全に防止するようにすれば、操作が簡単で、しかも従来品に比べ構造がより簡単になり部品が少なくてすみ、より安価に製造できる利点がある。
【図面の簡単な説明】
【図１】図１は本発明に係る噴霧器の一実施例を示す正面図である。
【図２】図２は畜圧室内に液が溜まっていく構造を示す要部の正面図である。
【図３】図３は連続噴霧の状態を示す作動図である。
【図４】図４はシ−ソ−ボタンの作動を示す拡大断面図である。
【図５】図５はシ−ソ−ボタンの作動を示す拡大断面図である。
【図６】図６は要部の端面図である。
【図７】図７は連続噴霧を止めて液がタンクに戻ることを示す作動図である。
【図８】図８は従来の連続噴霧器の一例を示した断面図である。
【図９】図９は従来の連続噴霧器の一例を示した断面図である。
【符号の説明】
１  噴霧器
２  噴霧器本体
３  液
４  タンク
５  トリガ−ハンドル
７・８  弁
９  第１通液管
１０  蓄圧室
１３  第２通液管
１４  ノズル
１７  第３通液管
１８  バブル体
１９  シ−ソ−ボタン
【図１】
0003839533.tif 000002
【図２】
0003839533.tif 000003
【図３】
0003839533.tif 000004
【図４】
0003839533.tif 000005
【図５】
0003839533.tif 000006
【図６】
0003839533.tif 000007
【図７】
0003839533.tif 000008
【図８】
0003839533.tif 000009
【図９】
0003839533.tif 000010